【手続補正書】
【提出日】平成24年2月23日(2012.2.23)
【手続補正１】
【補正対象書類名】特許請求の範囲
【補正対象項目名】全文
【補正方法】変更
【補正の内容】
【特許請求の範囲】
【請求項１】
移動局装置が第１参照信号と第２参照信号とを基地局装置へ送信する無線通信システムであって、
前記基地局装置は、
第１パラメータを示す情報と、第２パラメータを示す情報と、第１無線リソースを示す情報と、第２無線リソースを示す情報と、前記第２参照信号の送信を要求する情報とを前記移動局装置に送信し、
前記移動局装置は、
前記第１パラメータを用いて前記第１参照信号の送信に対する第１送信電力と、前記第２パラメータを用いて前記第２参照信号の送信に対する第２送信電力とを設定し、
前記第１無線リソースを示す情報に基づき、前記第１送信電力で前記第１参照信号を前記第１無線リソースを用いて前記基地局装置に送信し、
前記第２参照信号の送信を要求する情報を物理下りリンク制御チャネルで受信した際に、前記第２送信電力で前記第２参照信号を前記第２無線リソースを用いて前記基地局装置に送信することを特徴とする無線通信システム。
【請求項２】
基地局装置に第１参照信号と第２参照信号とを送信する移動局装置であって、
第１パラメータを示す情報と、第２パラメータを示す情報と、第１無線リソースを示す情報と、第２無線リソースを示す情報と、前記第２参照信号の送信を要求する情報とを前記基地局装置から受信し、
前記第１パラメータを用いて前記第１参照信号の送信に対する第１送信電力と、前記第２パラメータを用いて前記第２参照信号の送信に対する第２送信電力とを設定し、
前記第１無線リソースを示す情報に基づき、前記第１送信電力で前記第１参照信号を前記第１無線リソースを用いて前記基地局装置に送信し、
前記第２参照信号の送信を要求する情報を物理下りリンク制御チャネルで受信した際に、前記第２送信電力で前記第２参照信号を前記第２無線リソースを用いて前記基地局装置に送信することを特徴とする移動局装置。
【請求項３】
複数の送信アンテナポートを備え、
前記第１送信電力と前記第２送信電力は、前記送信アンテナポート毎に設定されることを特徴とする請求項２に記載の移動局装置。
【請求項４】
移動局装置から送信される第１参照信号と第２参照信号とを受信する基地局装置であって、
前記第１参照信号の送信に対する第１送信電力の設定に用いられる第１パラメータを示す情報と、前記第２参照信号の送信に対する第２送信電力の設定に用いられる第２パラメータを示す情報と、第１無線リソースを示す情報と、第２無線リソースを示す情報と、前記第２参照信号の送信を要求する情報とを前記移動局装置に送信し、
前記第１無線リソースを示す情報に基づき、前記移動局装置から前記第１送信電力で送信された前記第１参照信号を前記第１無線リソースで受信し、
前記第２参照信号の送信を要求する情報を物理下りリンク制御チャネルで送信した際に、前記移動局装置から前記第２送信電力で送信された前記第２参照信号を前記第２無線リソースで受信することを特徴とする基地局装置。
【請求項５】
基地局装置に第１参照信号と第２参照信号とを送信する移動局装置に用いられる無線通信方法であって、
第１パラメータを示す情報と、第２パラメータを示す情報と、第１無線リソースを示す情報と、第２無線リソースを示す情報と、前記第２参照信号の送信を要求する情報とを前記基地局装置から受信し、
前記第１パラメータを用いて前記第１参照信号の送信に対する第１送信電力と、前記第２パラメータを用いて前記第２参照信号の送信に対する第２送信電力とを設定し、
前記第１無線リソースを示す情報に基づき、前記第１送信電力で前記第１参照信号を前記第１無線リソースを用いて前記基地局装置に送信し、
前記第２参照信号の送信を要求する情報を物理下りリンク制御チャネルで受信した際に、前記第２送信電力で前記第２参照信号を前記第２無線リソースを用いて前記基地局装置に送信することを特徴とする無線通信方法。
【請求項６】
移動局装置から送信される第１参照信号と第２参照信号とを受信する基地局装置に用いられる無線通信方法であって、
前記第１参照信号の送信に対する第１送信電力の設定に用いられる第１パラメータを示す情報と、前記第２参照信号の送信に対する第２送信電力の設定に用いられる第２パラメータを示す情報と、第１無線リソースを示す情報と、第２無線リソースを示す情報と、前記第２参照信号の送信を要求する情報とを前記移動局装置に送信し、
前記第１無線リソースを示す情報に基づき、前記移動局装置から前記第１送信電力で送信された前記第１参照信号を前記第１無線リソースで受信し、
前記第２参照信号の送信を要求する情報を物理下りリンク制御チャネルで送信した際に、前記移動局装置から前記第２送信電力で送信された前記第２参照信号を前記第２無線リソースで受信することを特徴とする無線通信方法。
【請求項７】
基地局装置に第１参照信号と第２参照信号とを送信する移動局装置へ実装されることにより、前記移動局装置に対して複数の機能を発揮させる集積回路であって、
第１パラメータを示す情報と、第２パラメータを示す情報と、第１無線リソースを示す情報と、第２無線リソースを示す情報と、前記第２参照信号の送信を要求する情報とを前記基地局装置から受信する機能と、
前記第１パラメータを用いて前記第１参照信号の送信に対する第１送信電力と、前記第２パラメータを用いて前記第２参照信号の送信に対する第２送信電力とを設定する機能と、
前記第１無線リソースを示す情報に基づき、前記第１送信電力で前記第１参照信号を前記第１無線リソースを用いて前記基地局装置に送信する機能と、
前記第２参照信号の送信を要求する情報を物理下りリンク制御チャネルで受信した際に、前記第２送信電力で前記第２参照信号を前記第２無線リソースを用いて前記基地局装置に送信する機能と、を含む一連の機能を、前記移動局装置に対して発揮させることを特徴とする集積回路。
【請求項８】
移動局装置から送信される第１参照信号と第２参照信号とを受信する基地局装置へ実装されることにより、前記基地局装置に対して複数の機能を発揮させる集積回路であって、
前記第１参照信号の送信に対する第１送信電力の設定に用いられる第１パラメータを示す情報と、前記第２参照信号の送信に対する第２送信電力の設定に用いられる第２パラメータを示す情報と、第１無線リソースを示す情報と、第２無線リソースを示す情報と、前記第２参照信号の送信を要求する情報とを前記移動局装置に送信する機能と、
前記第１無線リソースを示す情報に基づき、前記移動局装置から前記第１送信電力で送信された前記第１参照信号を前記第１無線リソースで受信する機能と、
前記第２参照信号の送信を要求する情報を物理下りリンク制御チャネルで送信した際に、前記移動局装置から前記第２送信電力で送信された前記第２参照信号を前記第２無線リソースで受信する機能と、を含む一連の機能を、前記基地局装置に対して発揮させることを特徴とする集積回路。
【請求項９】
第１参照信号または第２参照信号を基地局装置に送信する移動局装置に用いられる無線通信方法であって、
PＳＲＳ＿ＯＦＦＳＥＴ(k)を、上位層から指定される値とし、
PＳＲＳ＿ＯＦＦＳＥＴ(0)を、無線リソース制御信号を用いて前記基地局装置によって通知された第１無線リソースを用いて前記基地局装置に送信される第１参照信号に対する値とし、
PＳＲＳ＿ＯＦＦＳＥＴ(1)を、前記第２参照信号の送信を要求する下りリンク制御情報を物理下りリンク制御チャネルで受信した際に前記基地局装置によって通知された、前記第２参照信号を送信可能な第２無線リソースを用いて前記基地局装置に送信される前記第２参照信号に対する値とし、
min{X,Y}を、Ｘ、Ｙのうち最小値を選択する関数とし、
PＣＭＡＸを、最大送信電力値とし、
PＯ＿ＰＵＳＣＨを、上位層から指定される値とし、
MＳＲＳを、第１参照信号または第２参照信号の送信に使用される物理リソースブロック数とし、
ＰＬを、前記移動局装置によって計算される下りリンクのパスロスとし、
αを、上位層により指定される係数とし、
ｆを、前記基地局装置によって物理下りリンク制御チャネルで送信される送信電力制御コマンドから算出される値としたときに、
次の数式を用いて、前記第１参照信号および前記第２参照信号の送信に対する送信電力PＳＲＳを設定することを特徴とする無線通信方法。
【数１】
2011142550.tif 000001